(57)【要約】　　　（修正有）【課題】トレーに上側または下側から加重が加わったときに、トレーが屈曲してもトレーを元の状態に復帰させることができて、トレーが破壊する虞がないディスク装置を提供する。【解決手段】トレー３を変形可能しとして加重が加わって変形した時にトレー３が元の形に復帰するディスク装置において、装置本体１の開口部２から出し入れされるトレー３の後端近傍箇所に、上側に位置される略Ｌ字形の硬質ゴムからなる弾性体４と下側に位置される形状記憶合金からなる板状体５とが介在され、トレー３が引き出されて上側または下側から加重が加わった際に、弾性体４と板状体５とが屈曲して、この加重を受け止め、加重が取り除かれた際に、弾性体４の復帰力と板状体５の元に戻る性質によって、トレー３が正常な水平向きの位置に復帰されるように構成したものである。【選択図】　図１
2004103069.tif 000002
【特許請求の範囲】
【請求項１】
トレーを変形可能として加重が加わって変形した時にトレーが元の形に復帰するディスク装置において、装置本体の開口部から出し入れされるトレーの後端近傍箇所に、上側に位置される略Ｌ字形の硬質ゴムからなる弾性体と下側に位置される形状記憶合金からなる板状体とが介在され、前記トレーが引き出されて上側または下側から加重が加わった際に、前記弾性体と前記板状体とが屈曲して、この加重を受け止め、加重が取り除かれた際に、前記弾性体の復帰力と前記板状体の元に戻る性質によって、前記トレーが正常な水平向きの位置に復帰されるように構成したことを特徴とするディスク装置。
【請求項２】
トレーを変形可能として加重が加わって変形した時にトレーが元の形に復帰するディスク装置において、装置本体の開口部から出し入れされるトレーの後端近傍箇所に、弾性復帰性部材が介在され、前記トレーが引き出されて上側または下側から加重が加わった際に、前記弾性復帰性部材が屈曲して、この加重を受け止め、加重が取り除かれた際に、前記弾性復帰性部材の復帰性によって、前記トレーが正常な水平向きの位置に復帰されるように構成したことを特徴とするディスク装置。
【請求項３】
前記弾性復帰性部材が硬質ゴムからなることを特徴とする請求項１に記載のディスク装置。
【請求項４】
前記弾性復帰性部材が形状記憶合金からなることを特徴とする請求項１に記載のディスク装置。
【請求項５】
前記弾性復帰性部材が、上側位置の硬質ゴムからなる弾性体と下側位置の形状記憶合金からなる板状体とからなることを特徴とする請求項１に記載のディスク装置。
【発明の詳細な説明】
【０００１】
【発明の属する技術分野】
本発明は、ディスク装置に関する。
【０００２】
【従来の技術】
従来のディスク装置は、装置本体の開口部から出し入れされるトレイは、開口部から出された時に、上側又は下側から加重が加わったときに、この加重を支えきれずに屈曲してしまうと、元の状態に復帰できない場合があるという問題があった。
【０００３】
また、実開平３−１０３５０号公報には、ディスクトトレイが記載されている。
これは、図４乃至図７に示すように、ディスクを乗せるトレイ本体部１１１とその奥部の被支持部１１２とからなりこの被支持部１１２においてディスク装置本体に出し入れ可能に支持されたディスクトレイ１１０において、トレイ本体部１１１と被支持部１１２との結合部分を、上下方向に回動可能な下側のヒンジ部１１３とトレイ出し入れ方向に一定以上の力が加わった時に離脱可能な上側の連結部１１４とで構成したものである。
ところが、これは何回もトレイ本体部１１１と被支持部１１２を上下方向に可動させているうちに、このヒンジ部１１３が切れてしまう虞があるという問題があった。
【０００４】
【発明が解決しようとする課題】
本発明は、上記従来の問題を解消し、トレーに上側または下側から加重が加わったときに、トレーが屈曲してもトレーを元の状態に復帰させることができて、トレーが破壊する虞がないディスク装置を提供することを目的としている。
【０００５】
【課題を解決するための手段】
本発明は、上記課題を解決するために提案されたものであって、請求項１に記載の発明は、トレーを変形可能として加重が加わって変形した時にトレーが元の形に復帰するディスク装置において、装置本体の開口部から出し入れされるトレーの後端近傍箇所に、上側に位置される略Ｌ字形の硬質ゴムからなる弾性体と下側に位置される形状記憶合金からなる板状体とが介在され、前記トレーが引き出されて上側または下側から加重が加わった際に、前記弾性体と前記板状体とが屈曲して、この加重を受け止め、加重が取り除かれた際に、前記弾性体の復帰力と前記板状体の元に戻る性質によって、前記トレーが正常な水平向きの位置に復帰されるように構成したことを特徴としている。
【０００６】
請求項２に記載の発明は、トレーを変形可能として加重が加わって変形した時にトレーが元の形に復帰するディスク装置において、装置本体の開口部から出し入れされるトレーの後端近傍箇所に、弾性復帰性部材が介在され、前記トレーが引き出されて上側または下側から加重が加わった際に、前記弾性復帰性部材が屈曲して、この加重を受け止め、加重が取り除かれた際に、前記弾性復帰性部材の復帰性によって、前記トレーが正常な水平向きの位置に復帰されるように構成したことを特徴としている。
【０００７】
請求項３に記載の発明は、前記弾性復帰性部材が硬質ゴムからなることを特徴としている。
請求項４に記載の発明は、前記弾性復帰性部材が形状記憶合金からなることを特徴としている。
請求項５に記載の発明は、前記弾性復帰性部材が、上側位置の硬質ゴムからなる弾性体と下側位置の形状記憶合金からなる板状体とからなることを特徴としている。
【０００８】
【発明の実施の形態】
以下、本発明に係るディスク装置の実施の形態について、図を参照しつつ説明する。
図１は本発明の実施形態のディスク装置における装置本体からトレーを引き出した状態を示し、（ａ）はその部分側面図、（ｂ）はその部分平面図、図２は同装置におけるトレーの後端近傍箇所に介在される弾性復帰性部材を示し、（ａ）は上側に位置される略Ｌ字形の硬質ゴムからなる弾性体を示す斜視図、（ｂ）は下側に位置される形状記憶合金からなる板状体を示す斜視図、図３は同装置における装置本体から引き出されたトレーに加重が加わった状態を示し、（ａ）は上側から加重が加わった場合の状態を示す部分側面図、（ｂ）は下側から加重が加わった場合の状態を示す部分側面図である。
【０００９】
本実施形態のディスク装置は、図１（ａ）（ｂ）に示すように、装置本体１の開口部２から出し入れされるトレー３の後端近傍箇所に、図２（ａ）に示す上側に位置される略Ｌ字形の硬質ゴムからなる弾性体４と、図２（ｂ）に示す下側に位置される形状記憶合金からなる板状体５とが介在されている。
そして、図３（ａ）に示すように、トレー３が引き出されて上側から加重が加わった際に、略Ｌ字形の硬質ゴムからなる弾性体４と形状記憶合金からなる板状体５とが屈曲して、この加重を受け止め、加重が取り除かれた際に、略Ｌ字形の硬質ゴムからなる弾性体４の復帰力と形状記憶合金からなる板状体５の元に戻る性質によって、トレー３が図１（ａ）に示すように正常な水平向きの位置に復帰されるようになっている。
【００１０】
図３（ｂ）に示すように、加重が加わった際に、略Ｌ字形の硬質ゴムからなる弾性４と形状記憶合金からなる板状体５とが屈曲して、この加重を受け止め、加重が取り除かれた際に、略Ｌ字形の硬質ゴムからなる弾性体４の復帰力と形状記憶合金からなる板状体５の元に戻る性質によって、トレー３が図１（ａ）に示すように正常な水平向きの位置に復帰されるようになっている。
したがって、本実施形態のディスク装置によれば、トレー３に上側または下側から加重が加わったときに、上側の略Ｌ字形の硬質ゴムからなる弾性体４と下側の形状記憶合金からなる板状体５が下側または上側に屈曲してトレー３が屈曲してもトレー３が弾性体４の復帰力と板状体５が元に戻る復帰性によって元の状態に復帰させることができて、トレーが破壊する虞がない。
【００１１】
尚、上記実施形態では、装置本体１の開口部２から出し入れされるトレー３の後端近傍箇所に、上側に位置される略Ｌ字形の硬質ゴムからなる弾性体４と、下側に位置される形状記憶合金からなる板状体５とが介在されているものについて説明したが、これに限らず、トレー３の後端近傍箇所に、硬質ゴムからなる弾性復帰性部材を介在させるか、もしくは、形状記憶合金からなる弾性復帰性部材を介在させてもよい。
【００１２】
【発明の効果】
以上説明したように、請求項１に記載の発明は、トレーを変形可能しとして加重が加わって変形した時にトレーが元の形に復帰するディスク装置において、装置本体の開口部から出し入れされるトレーの後端近傍箇所に、上側に位置される略Ｌ字形の硬質ゴムからなる弾性体と下側に位置される形状記憶合金からなる板状体とが介在され、トレーが引き出されて上側または下側から加重が加わった際に、弾性体と前記板状体とが屈曲して、この加重を受け止め、加重が取り除かれた際に、弾性体の復帰力と板状体の元に戻る性質によって、トレーが正常な水平向きの位置に復帰されるように構成したので、以下に述べる効果を奏する。
即ち、トレーに上側または下側から加重が加わったときに、上側の略Ｌ字形の硬質ゴムからなる弾性体と下側の形状記憶合金からなる板状体が下側または上側に屈曲してトレーが弾性体の復帰力と板状体が元に戻る復帰性によって元の状態に復帰させることができて、トレーが破壊する虞がない。
【００１３】
請求項２に記載の発明は、トレーを変形可能しとして加重が加わって変形した時にトレーが元の形に復帰するディスク装置において、装置本体の開口部から出し入れされるトレーの後端近傍箇所に、弾性復帰性部材が介在され、トレーが引き出されて上側または下側から加重が加わった際に、弾性復帰性部材が屈曲して、この加重を受け止め、加重が取り除かれた際に、弾性復帰性部材の復帰性によって、トレーが正常な水平向きの位置に復帰されるように構成したので、以下に述べる効果を奏する。
即ち、トレーに上側または下側から加重が加わったときに、弾性復帰性部材が下側または上側に屈曲してトレーが弾性復帰性部材の復帰性によって元の状態に復帰させることができて、トレーが破壊する虞がない。
【００１４】
請求項３に記載の発明は、弾性復帰性部材が硬質ゴムからなるので、トレーに上側または下側から加重が加わったときに、硬質ゴムが下側または上側に屈曲してトレーが屈曲してもトレーが硬質ゴムの復帰力によって元の状態に復帰させることができて、トレーが破壊する虞がない。
請求項４に記載の発明は、弾性復帰性部材が形状記憶合金からなるので、トレーに上側または下側から加重が加わったときに、形状記憶合金が下側または上側に屈曲してトレーが形状記憶合金の復帰性によって元の状態に復帰させることができて、トレーが破壊する虞がない。
【００１５】
請求項５に記載の発明は、弾性復帰性部材が、上側位置の硬質ゴムからなる弾性体と下側位置の形状記憶合金からなる板状体とからなるので、上側の硬質ゴムからなる弾性体と下側の形状記憶合金からなる板状体が下側または上側に屈曲してトレーが弾性体の復帰力と板状体が元に戻る復帰性によって元の状態に復帰させることができて、トレーが破壊する虞がない。
【図面の簡単な説明】
【図１】実施形態のディスク装置における装置本体からトレーを引き出した状態を示し、（ａ）はその部分側面図、（ｂ）はその部分平面図である。
【図２】同装置におけるトレーの後端近傍箇所に介在される弾性復帰性部材を示し、（ａ）は上側に位置される略Ｌ字形の硬質ゴムからなる弾性体を示す斜視図、（ｂ）は下側に位置される形状記憶合金からなる板状体を示す斜視図である。
【図３】同装置における装置本体から引き出されたトレーに加重が加わった状態を示し、（ａ）は上側から加重が加わった場合の状態を示す部分側面図、（ｂ）は下側から加重が加わった場合の状態を示す部分側面図である。
【図４】従来のディスクトレイの斜視図である。
【図５】同ディスクトレイの結合部分の拡大斜視図である。
【図６】同ディスクトレイの結合部分の側面図である。
【図７】同ディスクトレイの結合部分に概略が加わった時の動きを示す説明図である。
【符号の説明】
１　　　　装置本体
２　　　　開口部
３　　　　トレー
４　　　　弾性体
５　　　　板状体
【図１】
2004103069.tif 000003
【図２】
2004103069.tif 000004
【図３】
2004103069.tif 000005
【図４】
2004103069.tif 000006
【図５】
2004103069.tif 000007
【図６】
2004103069.tif 000008
【図７】
2004103069.tif 000009